(57)【要約】【課題】リアルタイムデータが不連続的に記録されるＤＶＤ−ＲＡＭまたはＤＶＤ−ＲＷ等のような再記録可能な光ディスクと記録容量を一致させ、再生互換性を持たせたＤＶＤ−ＲＯＭのような再生専用光ディスクを提供すること。【解決手段】本発明による再生専用光ディスクは、実際にデータが記録されたデータ記録領域を含むが、そのデータ記録領域には、不要データ記録領域が繰り返して割り当てられている。そして本発明による再生専用光ディスクに対する再生方法は、再生専用光ディスクでデータを再生して、再生途中、所定区間単位で反復割り当てられた不要データ記録領域にであうと、その領域をスキップしたりまたはその領域で再生される不要データを除去することによって、その不要データ記録領域前と後のデータを連結して出力する。【選択図】  図５
2005071599.tif 000002
【特許請求の範囲】
【請求項１】
再生専用記録媒体であって、
前記再生専用記録媒体に記録された複数の記録区間単位であって、リンク記録区間単位によって連結されたそれぞれの前記記録区間単位は所定の大きさを有し、前記リンク記録区間単位が識別子によって識別される、前記複数の記録区間単位を含む再生専用記録媒体。
【請求項２】
前記記録区間単位が複数の第１記録区間単位を含み、前記リンク記録区間単位が前記第１記録区間単位と同じ大きさである請求項１記載の再生専用記録媒体。
【請求項３】
前記リンク記録区間単位の大きさが記録可能な記録媒体のリンク領域と同じ大きさであって、前記記録可能な媒体と互換性を維持する請求項１記載の再生専用記録媒体。
【請求項４】
前記リンク記録区間単位が複数の記録されたそれぞれ同じ長さのピットを含む請求項１記載の再生専用記録媒体。
【請求項５】
前記記録されたピットがサーボ動作を制御するために用いられる請求項４記載の再生専用記録媒体
【請求項６】
前記記録区間単位と前記リンク記録区間単位が第２記録区間単位を含む請求項１記載の再生専用記録媒体。
【請求項７】
前記記録区間単位と前記リンク記録区間単位の全体の大きさが記録可能記録媒体の記録区間単位とリンク領域の全体の大きさと同じである請求項１記載の再生専用記録媒体。
【請求項８】
再生専用記録媒体であって、
前記再生専用記録媒体に記録された複数の記録区間単位であって、リンク記録区間単位によって連結されたそれぞれの前記記録区間単位が所定の大きさを有し、前記リンク記録区間単位が前記記録区間単位の先頭または後端に挿入された前記リンク記録区間単位の位置によって識別される、前記複数の記録区間単位を含む再生専用記録媒体。
【請求項９】
前記記録区間単位が複数の第１記録区間単位を含み、前記リンク記録区間単位が前記第８記録区間単位と同じ大きさである請求項８記載の再生専用記録媒体。
【請求項１０】
前記リンク記録区間単位の大きさが記録可能な記録媒体のリンク領域と同じ大きさであって、前記記録可能な媒体と互換性を維持する請求項８記載の再生専用記録媒体。
【請求項１１】
前記記録区間単位と前記リンク記録区間単位の全体の大きさが記録可能記録媒体の記録区間単位とリンク領域の全体の大きさと同じである請求項８記載の再生専用記録媒体。
【請求項１２】
再生専用記録媒体であって、
前記再生専用記録媒体に、それぞれが第１データ領域によって不連続的に記録された複数の記録区間単位であって、前記各記録区間単位は、リアルデータを含み、前記第１データ領域が、不要データおよび領域が第１データ領域であることを識別する識別子を含む再生専用記録媒体。
【請求項１３】
前記記録区間単位が複数のサブ記録区間単位を含み、かつ前記第１データ領域の大きさがサブ記録区間単位の大きさと同じである請求項１２記載の再生専用記録媒体。
【請求項１４】
前記第１データ領域の大きさが記録可能記録媒体の記録区間単位に含まれる非リアルデータの大きさと同じであり、それにより記録可能記録媒体と互換性を維持する請求項１２に記載の再生専用記録媒体。
【請求項１５】
前記第１データ領域が複数の記録されたそれぞれ同じ長さのピットを含む請求項１２記載の再生専用記録媒体。
【請求項１６】
前記記録されたピットがサーボ動作を制御するために用いられる請求項１５記載の再生専用記録媒体。
【請求項１７】
前記記録区間単位の大きさが記録可能記録媒体の非リアルデータ領域を含む記録区間単位の大きさと同じである請求項１２記載の再生専用記録媒体。
【請求項１８】
再生専用記録媒体に記録されたデータを再生する装置であって、
前記再生専用記録媒体に記録されたデータを読み出す光ピックアップと、
オリジナルデータを検索するためにデータを処理する信号処理部と、
前記光ピックアップと信号処理部とに接続され、データの再生を制御する制御部と
を有し、
前記制御部が再生専用記録媒体に含まれる識別子に基づいて不要データ領域を検出し、光出力を制御するおよび／または前記識別子に基づいて検出された不要データ領域の前後のデータを連続的に出力することを特徴とする装置。
【請求項１９】
前記光ピックアップから読み出されたデータ、並びに前記信号処理部で処理された又は処理されるべきデータを格納するバッファメモリをさらに含む請求項１８記載の装置。
【請求項２０】
前記制御部が、前記不要データ領域に含まれるデータが前記バッファメモリに格納されるのを防ぐ請求項１９記載の装置。
【請求項２１】
前記制御部が、識別子を検出すると、光ピックアップが不要データ領域をスキップするように制御する請求項１８記載の装置。
【請求項２２】
前記制御部が、識別子を検出すると、前記無効領域含まれる不要データを除いて実際のデータのみを出力するように前記信号処理部を制御する請求項１８記載の装置。
【請求項２３】
前記不要データがサーボ制御情報を含み、不要データ領域の前後のデータ領域でサーボ動作を制御する請求項１８記載の装置。
【請求項２４】
再生専用記録媒体に記録されたデータを再生する方法において、
記録区間単位の前後の不要データ領域を識別する識別子が検出されたか否かを決定するステップと、
前記決定するステップに基づいて、データ再生処理を、不要データ領域に含まれる不要データを除いて記録区間単位の実際のデータのみを出力するように制御するステップと、
前記制御するステップの結果として実際のデータを連続的に出力するステップと
を有する方法。
【請求項２５】
前記制御するステップが、不要データがバッファメモリに格納されないように前記データ再生処理を制御し、記録区間単位の実際のデータのみを出力する請求項２４記載の方法。
【請求項２６】
前記制御するステップが、前記決定するステップに基づいて識別子が検出されると、光ピックアップから不要データが読み出されないように前記データ再生処理を制御する請求項２４記載の方法。
【請求項２７】
前記不要データ領域がさらにサーボ制御情報を含み、方法がさらに不要データ領域の前後のデータ領域内でサーボ動作を制御するステップを含む請求項２４記載の方法。
【請求項２８】
前記記録区間単位が複数の第１記録区間単位を含み、リンク記録区間単位の大きさがその第１記録区間単位の大きさと同じである請求項２４記載の方法。
【請求項２９】
前記リンク記録区間単位の大きさが記録可能媒体のリンク領域と同じ大きさであり、記録可能媒体との互換性を維持する請求項２４記載の方法。
【請求項３０】
再生専用媒体に記録されたデータを再生する方法において、
（ａ）実際のデータ領域の前後のリンク記録区間単位を識別する識別子に基づいて現在位置がリンクデータ領域であるか否かを調べるステップと、
（ｂ）識別子が検出されると、リンクデータ領域の不要データを排除し、リンクデータ領域の前後の実際のデータ領域内の実際のデータを連続的に出力するステップと
を有する方法。
【請求項３１】
再生専用媒体に記録されたデータを再生する方法において、
（ａ）実際のデータ領域の前端又は後端に挿入された不要データ領域の位置に基づいて現在位置がリンクデータ領域であるか否かを調べるステップと、
（ｂ）現在位置が実際のデータ領域の前端又は後端であると、リンクデータ領域の不要データを排除し、リンクデータ領域の前後の実際のデータ領域内の実際のデータを連続的に出力するステップと
を有する方法。
【発明の詳細な説明】
【技術分野】
【０００１】
本発明は、動画像データまたはオーディオデータのようなリアルタイムデータが不連続的に記録される再記録可能な光ディスクと再生互換性を有するフォーマットでデータが記録された再生専用光ディスクと、その再生専用光ディスク装置における再生方法に関する。
【背景技術】
【０００２】
最近では高画質の動画像データを長時間記録することができる大容量高密度光ディスクであるＤＶＤが開発されて市場に出ている。広く普及することが期待されているが、ＤＶＤには、再生専用ＤＶＤ−ＲＯＭ、１回記録可能なＤＶＤ−Ｒ、そして再記録可能なＤＶＤ−ＲＡＭまたはＤＶＤ−ＲＷなど様々な種類があり全て互換性があるとはいえないのが問題である。
【０００３】
再生専用ＤＶＤ−ＲＯＭは、現在かなり広く用いられている高密度光ディスクであって、一般的なＣＤのデータ記録容量に比べて約８倍に該当する４．７Ｇバイトの記録容量を有している。この再生専用ＤＶＤ−ＲＯＭは、高画質の動画像データや高音質のオーディオデータのようなリアルタイムデータを連続的に記録するデータ記録領域と、リアルタイムデータの再生制御のためのナビゲーションデータのような管理情報を記録する管理情報記録領域を含んでいる。
【０００４】
以下、ＤＶＤ−ＲＯＭのデータ記録領域に記録されるリアルタイムデータの記録構造について簡単に説明する。図１に示したように、チャプターやタイトルに該当する少なくとも一つ以上の記録集合体(ＶＯＢ：Video stream OBject）と、その記録集合体を構成する多数の記録単位体(ＶＯＢＵ：Video stream OBject Unit)、さらにその記録単位体を構成する２個のエラー訂正ＥＣＣデータブロックで区画記録される階層的記録構造を有する。エラー訂正データブロックは、各々２０４８バイトの記録大きさを有する１６個のセクタで構成されて、全体で約３２Ｋバイトの記録大きさを有する。
【０００５】
したがって、再生専用ＤＶＤ−ＲＯＭを再生するＤＶＤプレーヤー、またはＤＶＤドライバのような光ディスク装置では、ＤＶＤ−ＲＯＭにおける管理情報記録領域からナビゲーションデータのような管理情報を読み出して、その読み出した管理情報を利用して、データ記録領域に記録されたリアルタイムデータを読み出して再生する一連の再生動作を実行する。光ディスク装置では、再生専用ＤＶＤ−ＲＯＭに記録されたリアルタイムデータが継ぎ目なく連続的に記録されているので、再生するデータを特別な操作なしに順序どおり出力することにより、記録データの継ぎ目ない再生が可能である。
【０００６】
一方、再記録可能なＤＶＤ−ＲＡＭまたはＤＶＤ−ＲＷは、現在具体的な規格化作業が進行中の高密度光ディスクであって、再生専用ＤＶＤ−ＲＯＭと同一の記録容量、すなわち４．７Ｇバイトの記録容量を有している。
【０００７】
したがって、前記のような再記録可能なＤＶＤ−ＲＡＭまたはＤＶＤ−ＲＷが開発されて市場に登場するようになると、ＤＶＤレコーダ等のような光ディスク装置を備えたユーザーは、自身が所望するデジタル放送をＤＶＤ−ＲＡＭまたはＤＶＤ−ＲＷ等に長時間記録できるようになり、またＤＶＤ−ＲＯＭに記録されたリアルタイムデータを、ＤＶＤ−ＲＡＭまたはＤＶＤ−ＲＷ等に複写記録できるようになる。
【０００８】
しかし、ＤＶＤ−ＲＯＭのデータ記録領域には、高画質の動画像データまたは高音質のオーディオデータのようなリアルタイムデータが継ぎ目なく連続的に記録されているのに対して、ＤＶＤ−ＲＡＭまたはＤＶＤ−ＲＷのデータ記録領域には、高画質の動画像データまたは高音質のオーディオデータのようなリアルタイムデータ以外にも、所定記録の大きさを有するヘッダ情報またはリンクロス(Linking Loss)領域が間に記録されるために、リアルタイムデータが不連続的に記録される。
【０００９】
図２は、データが不連続的に記録される再記録ＤＶＤのデータ記録フォーマットを図示したものである。図２に示したように、ＤＶＤ−ＲＷの記録領域（ただし、Ｌｅａｄ−ｉｎ領域を除く）は、５個の記録管理領域セグメント(ＲＭＡＳ：Recording Management Area Segement）で構成されて、各ＲＭＡＳは２８個の記録管理データセット(ＲＭＤＳ：Recording Management Data Set）で構成されている。各ＲＭＤＳは多数のＲＭＤブロックで構成されて、各ＲＭＤブロックは、１５個のデータ記録フィールド(Ｆｉｅｌｄ０−１４)と２Ｋバイトの記録大きさを有するリンクロス領域とで構成されて３２Ｋバイトの大きさを有する。各ＲＭＤブロックの先頭にはリアルタイムデータが記録されないリンクロス領域が挿入されているので、結局ＤＶＤ−ＲＷに記録されたデータは、不連続的記録状態にある。
【００１０】
リンクロス領域は、完全なランダム書込みまたはオーバーライトを容易にするための十分なバッファリングのために用意される。このようにデータが記録されないリンクロス領域またはヘッダ情報領域のために、ＤＶＤ−ＲＡＭまたはＤＶＤ−ＲＷの実際の記録容量は４．７Ｇバイトより小さくなる。したがって、ＤＶＤ−ＲＯＭに記録されたリアルタイムデータの全てを、ＤＶＤ−ＲＡＭまたはＤＶＤ−ＲＷ等に複写記録できなくなるという問題点が発生するようになる。
【００１１】
したがって、双方のディスクからそれぞれのデータを読み出せるようにする光ディスク装置は、再生専用ＤＶＤ−ＲＯＭが装置内に挿入設置された場合には、ＤＶＤ−ＲＯＭから読み出されるリアルタイムデータを特別な操作なしに読出し順序どおり出力することによって継ぎ目なく再生する一方、前述したようにリアルタイムデータが不連続に記録されたＤＶＤ−ＲＡＭまたはＤＶＤ−ＲＷが装置内に挿入された場合には、読み出されるデータを一時的に格納したあと、ヘッダ情報またはリンクロス領域から読み出されたデータを除去してその前と後のデータを連結して出力することによって、切れることのなく再生されるようにしなければならない。したがって、ディスク装置は光ディスクの種類によった異なる複数の再生アルゴリズムが必ず必要になる。
【発明の開示】
【発明が解決しようとする課題】
【００１２】
本発明は前記のような問題点を解決するために創作されたものであり、本発明の目的は、動画像データまたはオーディオデータのようなリアルタイムデータが不連続的に記録されるＤＶＤ−ＲＡＭまたはＤＶＤ−ＲＷ等のような再記録可能な光ディスクと記録容量を一致させ、再生互換性を持たせたＤＶＤ−ＲＯＭのような再生専用光ディスクを提供することにある。
本発明の他の目的は、将来のＲＡＭ媒体とデータ再生時に互換性を有するＲＯＭ媒体を提供することにある。
本発明のさらに他の目的は、前記のような再生専用光ディスクの再生時、データのあいだに挿入記録された不要データを排除しながらリアルタイムデータを連結再生する本発明による再生専用光ディスクの再生方法を提供することにある。
【課題を解決するための手段】
【００１３】
前記のような目的を達成するための本発明による再生専用光ディスクは、実際にデータが記録されたデータ記録領域を含むが、そのデータ記録領域に不要データ記録領域を繰り返して割り当てることを特徴とする。
【００１４】
また、本発明による再生専用光ディスクに対する再生方法は、再生専用光ディスクからデータを再生する途中に、所定区間単位で反復割り当てられた不要データ記録領域に達すると、その領域をスキップしたりまたはその領域から再生される不要データを除去することによって、その不要データ記録領域の前と後のデータを連結して出力することを特徴とする。
【発明の効果】
【００１５】
前記のように構成及びなされる本発明による再生専用光ディスクと、その再生専用光ディスク装置における再生方法によれば、再記録可能な光ディスクと再生専用光ディスク間に再生互換性を維持させて、同一の再生アルゴリズムを再記録可能な光ディスクと再生専用光ディスク双方に適用させることができる。したがって、再生能力を向上させることができる。また、再記録可能ディスクは再生専用ディスクのすべての実際のデータを複写収容することができる。
【発明を実施するための最良の形態】
【００１６】
後述する本発明の望ましい実施形態は、例示の目的のために開示されたものであって、当業者であれば添付された特許請求範囲に開示された本発明の技術的思想とその技術的範囲内で、多様な他の実施形態を改良、変更、代替または付加などが可能であろう。
【００１７】
以下、本発明による再生専用光ディスクと、その再生専用光ディスク装置における再生方法に対する望ましい実施形態に対して、添付された図面を参照して詳細に説明する。
【００１８】
図３は、本発明による再生専用光ディスクのデータ記録構造の実施形態を図示したものである。図３の記録データ構造は、図１を参照して前述したように、チャプターやタイトルに該当する少なくとも一つ以上の記録集合体ＶＯＢと、その記録集合体を構成する多数の記録単位体ＶＯＢＵ、そして記録単位体を構成する２個のエラー訂正ＥＣＣデータブロックに区画して記録される階層的記録構造を有する。本実施形態においては、図３に示したように、各々２０４８バイトの記録大きさを有する１６個のセクタとして構成されて３２Ｋバイトの記録大きさを有するエラー訂正ＥＣＣブロック毎に、２Ｋバイトの記録大きさを有する不要データ記録領域が間に記録されている。この不要データを他のデータと区別するために他のデータを第１類型データと、不要データを第２類型データともいい、又それらのデータが記録されている領域を第１類型領域、第２類型領域ともいう。
【００１９】
図３の実施形態では不要データ記録領域は各エラー訂正データブロックの後端に挿入されているが、各エラー訂正データブロックの前端に挿入してもよい。
【００２０】
この不要データ記録領域は、再記録可能なＤＶＤ−ＲＡＭにおけるデータ記録領域に割り当てられているヘッダ情報領域及び、ＤＶＤ−ＲＷにおけるデータ記録領域に記録管理データＲＭＤブロック単位で付加記録されるリンクロス領域に対応する。
【００２１】
この不要データ記録領域は、再記録可能なＤＶＤ−ＲＡＭまたはＤＶＤ−ＲＷにおけるヘッダ情報またはリンクロス領域の記録大きさによって他の記録大きさとすることができ、また２Ｋバイトより小さな大きさでもよい。このときはもちろんディスクの記録単位であるセクタの大きさが２０４８バイトより小さな場合である。
【００２２】
したがって、約４．７Ｇバイトの名目記録容量を有する再生専用ＤＶＤ−ＲＯＭの実際のリアルタイムデータの最大記録容量は、不要データ記録領域だけ縮まるが、ヘッダ情報またはリンクロス領域が記録される再記録可能なＤＶＤ−ＲＡＭまたはＤＶＤ−ＲＷの最大記録容量と一致するので、結局、不要データ記録領域が挿入されたＤＶＤ−ＲＯＭに記録されたリアルタイムデータは、ＤＶＤ−ＲＡＭまたはＤＶＤ−ＲＷにすべて複写することができる。
【００２３】
前記のように所定記録大きさを有する不要データ記録領域が、エラー訂正データブロックのような所定記録区間単位で記録された本発明による再生専用光ディスクを再生する方法をさらに詳細に説明する。
【００２４】
図４は、本発明による再生専用ディスクの再生方法が適用される光ディスク装置に対する一部構成を図示したものである。図４のディスク装置は例えばＤＶＤプレーヤーまたはＤＶＤドライバでよい。その構成は、再生専用ＤＶＤ−ＲＯＭ  １に記録されたデータを読み出すための光ピックアップ２、読み出されたデータを２進信号に変換するＲ／Ｆ部３、そしてＲ／Ｆ部３から出力される２進信号を信号処理して元来のデータに復元する再生信号処理部４、再生のためにこれらの構成要素の作動を制御する制御部５、再生信号処理に必要なデータを一時的に格納するバッファ部６を備えている。
【００２５】
制御部５は、再生専用ＤＶＤ−ＲＯＭ  １のデータ記録領域から読み出されるデータを順次再生出力する途中で、不要データ記録領域にであうと、すなわち不要データ記録領域に達するたびに、その領域のデータを除去してその前と後のリアルタイムデータを相互に連結して出力する連結再生動作を実行する。
【００２６】
図５は、本発明による再生専用光ディスクの再生方法の動作流れ図を示したものであって、制御部５は、図４のディスク装置内に再生専用光ディスクすなわち、不要データ記録領域が挿入されたＤＶＤ−ＲＯＭ  １が設置されると(Ｓ１０)、ＤＶＤ−ＲＯＭにおけるデータ記録領域に記録されたリアルタイムデータを再生制御するために、ＤＶＤ−ＲＯＭにおける管理情報記録領域を探索して、その管理情報記録領域に記録されたナビゲーションデータのような管理情報をまず読み出した後、これを装置内に一時的に格納する(Ｓ１１)。
【００２７】
以後、ユーザーから再生動作要求が受信されると(Ｓ１２)、制御部５はＤＶＤ−ＲＯＭ  １におけるデータ記録領域を探索して、そのデータ記録領域に記録されたリアルタイムデータを読み出して、再生信号処理する一連の再生動作を実行する(Ｓ１３)。
【００２８】
そして、前記のような再生動作中に、現在の再生位置が不要データ記録領域であるか否かを検出するが(Ｓ１４)、不要データ記録領域であるかどうかは、例えば、１６セクタで構成されて約３２Ｋバイトの記録大きさを有するエラー訂正ＥＣＣデータブロックの最後段であることを識別することによって確認される。または不要データ記録領域であることを示すための別途の識別子に基づいて検出するようにしてもよい。
【００２９】
前記のように不要データ記録領域が検出されると、その領域から読み出される信号は、不要データとして信号処理過程で排除させる(Ｓ１５)。このために不要データ領域のデータはバッファ６に格納しないで、不要データ領域以後のデータ、すなわち次のＥＣＣブロックのデータを以前のＥＣＣブロックのデータに続いてバッファ６に格納する。このように不要データ領域のデータが排除された記録データをバッファ６から順次に読出して外部に出力することによって、ＤＶＤ−ＲＯＭ  １に記録されたリアルタイムデータを継ぎ目なく再生して提供する(Ｓ１６)。
【００３０】
以後、制御部５では、ユーザーから再生終了要求が受信される場合(Ｓ１７)、前記のような再生動作を終了する。このような方法を通して光ディスク装置は、不要データ記録領域が所定記録区間単位で挿入されている再生専用ＤＶＤ−ＲＯＭから不連続的に読み出されるリアルタイムデータをつなぎ合わせて継ぎ目なく再生することができる。
【００３１】
一方、このディスク装置は、リアルタイムデータが不連続的に記録されたＤＶＤ−ＲＡＭまたはＤＶＤ−ＲＷが装置内に挿入された場合にも、ヘッダ情報またはリンクロス領域から読み出されるデータを排除するために、ヘッダ情報またはリンクロス領域前後のデータのみを連結して一時的に格納した後、これを順序どおり出力する、ＤＶＤ−ＲＯＭの再生と同一の再生動作を実行するので、本光ディスク装置では、ディスクの種類を区別する必要なく再生専用ＤＶＤ−ＲＯＭと再記録可能なＤＶＤ−ＲＡＭまたはＤＶＤ−ＲＷのすべてに対して同一の再生アルゴリズムを適用させることができる。
【００３２】
制御部５は、本不要データ記録領域のデータの読出し後除去とは異なるように制御しても良い。すなわち、その領域が検出されると、その記録区間のデータを読出さずに、その区間をジャンプして迅速にスキップするか、またはその不要データ記録領域を使用しないのではなく、その領域に所定長さのピット、例えば８Ｔ(Ｔはビットタイムインターバルである)の長さのプリピットを繰り返して形成することによって、不要として捨てるデータの代わりに、再生動作実行時のサーボ制御用ＰＬＬを同期させることができる基準信号として活用されるようにしてもよい。
【００３３】
そして、前記のように不要データ記録領域をエラー訂正ＥＣＣデータブロックのような所定記録区間単位に反復記録するによって、ＤＶＤ−ＲＯＭのデータ記録容量が４．７Ｇバイト未満になるが、今後１５Ｇバイト以上のデータ記録容量を有する高密度ＤＶＤ−ＲＯＭ(ＨＤＤＶＤ−ＲＯＭ)が開発される場合、不要データ記録領域による光ディスクの記録容量減少は自然に解決できる。
【００３４】
前の実施形態は、現存する記録媒体であるＤＶＤ−ＲＡＭとＤＶＤ−ＲＷを考慮して説明した。しかし、今後次世代記録媒体が登場すると、その次世代再生専用ディスクも当然に前述した不要データ記録領域を有することになり、その不要データ記録領域の大きさは、次世代の再生専用ディスクの実際のユーザデータ領域に周期的に挿入される非ユーザーデータ領域の大きさと同じである。
【図面の簡単な説明】
【００３５】
【図１】一般的な再生専用ＤＶＤ−ＲＯＭに対するデータ記録構造を図示したものであって、
【図２】一般的な再記録可能なＤＶＤ−ＲＷに対するデータ記録構造を図示したものであって、
【図３】本発明による再生専用ＤＶＤ−ＲＯＭに対するデータ記録構造を図示したものであって、
【図４】本発明による再生方法が適用される再生専用光ディスク装置に対する一部構成を図示したものであって、
【図５】本発明による再生専用光ディスク装置における再生方法に対する作動流れ図を示したものである。
【符号の説明】
【００３６】
１  ディスク、２  光ピックアップ、３  Ｒ／Ｆ部、４  信号処理部、５  制御部、６  バッファ  
【図１】
2005071599.tif 000003
【図２】
2005071599.tif 000004
【図３】
2005071599.tif 000005
【図４】
2005071599.tif 000006
【図５】
2005071599.tif 000007